(57)【要約】【課題】プラント監視画面を表示するまでに要する処理時間を短縮すること。【解決手段】プラントの運転状況を監視するプラント監視画面を表示する画面表示装置において、プラント監視画面を構成する固定画要素を含む画像ファイルを取得する画像ファイル取得部（１２４）と、プラント監視画面を構成する可変画要素を取得する可変画要素取得部（１２５）と、画像ファイル取得部で取得した画像ファイルと、可変画要素取得部で取得した可変画要素とを重ねて表示する表示部（１２７）と、を具備する構成とした。【選択図】図２
2018022350.tif 000002
【特許請求の範囲】
【請求項１】
プラントの運転状況を監視するプラント監視画面を表示する画面表示装置であって、
前記プラント監視画面を構成する固定画要素を含む画像ファイルを取得する第１の取得手段と、
前記プラント監視画面を構成する可変画要素を取得する第２の取得手段と、
前記第１の取得手段で取得した前記画像ファイルと、前記第２の取得手段で取得した前記可変画要素とを重ねて表示する表示手段と、を具備することを特徴とする画面表示装置。
【請求項２】
前記固定画要素と前記可変画要素とを分類する分類手段と、
前記分類手段により分類した前記固定画要素を合成して前記画像ファイルを生成する生成手段と、を具備することを特徴とする請求項１に記載の画面表示装置。
【請求項３】
前記生成手段は、前記固定画要素をビットマップファイルに変換して前記画像ファイルを生成することを特徴とする請求項２に記載の画面表示装置。
【請求項４】
プラントの運転状況を監視するプラント監視画面を表示する画面表示システムであって、
前記プラント監視画面を構成する固定画要素と、前記プラント監視画面を構成する可変画要素とを分類し、分類した前記固定画要素を含む画像ファイルを生成する画面生成装置と、
前記画面生成装置から、前記プラント監視画面を構成する可変画要素及び前記画像ファイルを取得し、前記画像ファイルと前記可変画要素とを重ねて表示する画面表示装置と、を具備することを特徴とする画面表示システム。
【発明の詳細な説明】
【技術分野】
【０００１】
本発明は、画面表示装置及び画面表示システムに関し、特に、プラントの運転状況を監視するプラント監視画面を表示する画面表示装置及び画面表示システムに関する。
【背景技術】
【０００２】
発電プラントや科学プラントにおいては、プラントにおけるプロセス制御を実現するための分散型制御システム（ＤＣＳ：Distributed Control System）が導入されている。このようなＤＣＳでは、プラントの運転状況を監視するプラント監視画面を表示する画面表示装置が設置されている。プラント監視画面においては、多数の表示要素が組み合わされて、プラントの運転状況が表示される。プラント監視画面に含まれる表示要素には、プラントのプロセスに依存しない固定画要素と、プロセスに合わせて表示内容が変化する可変画要素とが含まれる。
【０００３】
近年、プラント監視画面は、画面表示装置の高解像度化、処理能力の高速化などの要因により、その表示内容の高精細化、複雑化が要請されている。一方、プラントの運転状況を監視するシステムの特性として、操作者からの表示指示に対する応答性は重要な事項である。このため、画面表示の高速化、言い換えると、画面表示に要する処理時間の短縮が要請されている。
【０００４】
従来、画面表示用メモリ上に、固定画要素が描画される固定画描画エリアと、可変画要素が描画される可変画描画エリアと、固定画要素に可変画要素を重ねてコピーする画面構成エリアと、画面構成エリア上の画面イメージを一画面分としてコピーする実画面表示エリアとを設け、実画面表示エリア上の画面イメージを画面表示部に表示する画面表示装置が提案されている（例えば、特許文献１参照）。
【０００５】
この画面表示装置は、画面表示用メモリ上に、実際には表示しないバックアップ表示エリアを画面構成エリアとして設けている。そして、操作者からの要求に応じてリクエスト画面を表示する際に、固定画描画エリアの固定画要素と、初期化時に可変画描画エリアに描画された可変画要素とを画面構成エリア上に重ね合わせる。このように画面表示用メモリ上で固定画要素及び可変画要素のコピーを繰り返すことにより、プラント監視画面の初期表示に要する時間を短縮している。
【先行技術文献】
【特許文献】
【０００６】
【特許文献１】特開平４−５６８７号公報
【発明の概要】
【発明が解決しようとする課題】
【０００７】
しかしながら、上述した特許文献１に記載の画面表示装置においては、固定画描画エリアに対する固定画要素の描画に要する処理時間が考慮されていない。一般に、プラント監視画面には、多数の固定画要素が含まれている。これらの固定画要素を個別に描画する場合には、多くの時間を要することとなる。このため、プラント監視画面を表示するまでに要する処理時間を短縮することができないという問題がある。
【０００８】
本発明は、このような問題点に鑑みてなされたものであり、プラント監視画面を表示するまでに要する処理時間を短縮することができる画面表示装置及び画面表示システムを提供することを目的とする。
【課題を解決するための手段】
【０００９】
本発明における画面表示装置は、プラントの運転状況を監視するプラント監視画面を表示する画面表示装置であって、前記プラント監視画面を構成する固定画要素を含む画像ファイルを取得する第１の取得手段と、前記プラント監視画面を構成する可変画要素を取得する第２の取得手段と、前記第１の取得手段で取得した前記画像ファイルと、前記第２の取得手段で取得した前記可変画要素とを重ねて表示する表示手段と、を具備することを特徴とする。
【発明の効果】
【００１０】
本発明によれば、プラント監視画面を構成する固定画要素を含む画像ファイルが取得されると共に、プラント監視画面を構成する可変画要素が取得され、これらの画像ファイルと可変画要素とが重ねて表示される。これにより、プラント監視画面を構成する固定画要素及び可変画要素を個別に取得して表示する場合と比べて、固定画要素の取得処理に要する時間を短縮することができる。この結果、プラント監視画面を表示するまでの処理時間を短縮することができる。
【図面の簡単な説明】
【００１１】
【図１】本実施の形態に係る画面表示装置が適用される画面表示システムのネットワーク構成図である。
【図２】本実施の形態に係る画面表示システムが有するオペレータステーションの機能ブロック図である。
【図３】本実施の形態に係る画面表示システムが有するエンジニアリングステーションの機能ブロック図である。
【図４】本実施の形態に係る画面表示システムにおいて、プラント監視画面を表示するための処理を説明するためのシーケンス図である。
【図５】本実施の形態に係る画面表示システムにおいて、プラント監視画面を表示するまでの処理を説明するための概念図である。
【発明を実施するための形態】
【００１２】
以下、本発明の一実施の形態に係る画面表示装置について、添付の図面を参照しながら詳細に説明する。本発明に係る画面表示装置は、例えば、発電プラントや科学プラントにおけるプロセス制御を実現するための分散型制御システム（ＤＣＳ：Distributed Control System）で構成される画面表示システムに適用される。しかしながら、本発明に係る画面表示装置が適用されるシステムについては、ＤＣＳに限定されるものではなく適宜変更が可能である。
【００１３】
図１は、本実施の形態に係る画面表示装置が適用される画面表示システムのネットワーク構成図である。本実施の形態に係る画面表示システムにおいては、ネットワーク上の特定の機器に制御を集中させるのではなく、ネットワーク上の任意の機器間で必要な情報のみを共有し、プラント全体のプロセス制御を行うものである。
【００１４】
図１に示すように、本実施の形態に係る画面表示システム１０は、制御装置１１と、画面表示装置としてのオペレータステーション（以下、「ＯＰステーション」という）１２と、データベースステーション（以下、「ＤＢステーション」という）１３と、プリンタ１４と、画面生成装置としてのエンジニアリングステーション（以下、「ＥＮＧステーション」という）１５とを含んで構成される。図１においては、説明の便宜上、２台の制御装置１１ａ、１１ｂのみを示している。実際には、プラントの規模に応じて、多数の制御装置１１が画面表示システム１０に接続される。
【００１５】
制御装置１１（１１ａ、１１ｂ）には、プラントに設置される主要機器や周辺機器（以下、適宜「プラント機器」という）１６が接続されている。プラント機器１６を構成する主要機器には、例えば、ガスタービン、蒸気タービンやボイラなどが含まれる。プラント機器１６を構成する周辺機器には、例えば、各種のセンサ、アクチュエータやバルブなどが含まれる。これらのプラント機器１６は、有線又は無線にて制御装置１１に接続される。
【００１６】
制御装置１１（１１ａ、１１ｂ）には、制御ネットワーク１７を介して、ＯＰステーション１２及びＤＢステーション１３が接続されている。ＯＰステーション１２、ＤＢステーション１３、プリンタ１４及びＥＮＧステーション１５は、情報ネットワーク１８を介して互いに接続されている。制御ネットワーク１７及び情報ネットワーク１８は、例えば、ＬＡＮ（Local  Area  Network）、ＷＡＮ（Wide  Area  Network）、ＰＳＴＮ（Public  Switched  Telephone  Network）で構成される。また、制御ネットワーク１７及び情報ネットワーク１８は、有線ネットワークに限らず、無線ネットワークで構成されてもよい。
【００１７】
制御装置１１は、マイクロプロセッサ等を持つコントローラであり、各プラント機器１６から周期的に監視データを収集して、ＰＩＤ（Proportional  Integral  Differential）制御等によって対象機器を自動制御している。
【００１８】
ＯＰステーション１２は、各制御装置１１から収集した監視データに基づいてプラントの監視を行っており、各制御装置１１に対する制御値の設定、制御の有効化及び無効化、制御状態の監視等を実施している。ＯＰステーション１２は、プラントの運転状況を監視するプラント監視画面を表示する。ＯＰステーション１２の操作者は、このプラント監視画面を確認することにより、プラントの一部又は全部の運転状況を監視することができる。
【００１９】
ＤＢステーション１３は、プラントに関するアラームの履歴情報や監視データのトレンド情報を長時間に亘って蓄積している。プリンタ１４は、ＯＰステーション１２やＤＢステーション１３、ＥＮＧステーション１５から入力されたデータを印刷可能に構成されている。
【００２０】
ＥＮＧステーション１５は、ＯＰステーション１２で表示されるプラント監視画面に含まれる表示要素のユーザ定義を行う。このユーザ定義については後述する。また、ＥＮＧステーション１５は、プラント監視画面に含まれる表示要素を、ＯＰステーション１２で表示するためのデータ変換（コンパイル）を行う。ＥＮＧステーション１５は、データ変換によって生成された実行ファイル（ＤＬＬ：Dynamic  Link   Library）をＯＰステーション１２に転送する。
【００２１】
ところで、ＯＰステーション１２で表示されるプラント監視画面においては、多数の表示要素が組み合わされて、プラントの運転状況が表示される。プラント監視画面に含まれる表示要素には、プラントのプロセスに依存しない固定画要素と、プロセスに合わせて表示内容が変化する可変画要素とが含まれる。一般に、プラント監視画面の表示するための表示要素には、多数の固定画要素及び可変画要素が必要となる。
【００２２】
一般的な画面表示システムにおいて、プラント監視画面を表示する際には、ＥＮＧステーション１５からプラント監視画面に含まれる多数の固定画要素及び可変画要素が個別にＯＰステーション１２に転送される。そして、ＯＰステーション１２にて、取得した固定画要素及び可変画要素を表示する。その後、制御装置１１が収集したプラント機器１６からの監視データに基づいて可変画要素が変更され、プラント監視画面の表示が更新される。
【００２３】
しかしながら、多数の固定画要素及び可変画要素を個別にＥＮＧステーション１５から転送する場合には、ＯＰステーション１２において、これらの表示要素を取得するまでに多大な時間を要する場合がある。一方、プラント監視画面を構成する固定画要素は、可変画要素と異なり、プラント監視画面上で動的に表示制御が行われることはない。このため、固定画要素については、必ずしもＥＮＧステーション１５から個別に転送される必要はない。
【００２４】
本発明者らは、プラント監視画面を構成する固定画要素が動的に表示制御されることがない一方で、個別にＥＮＧステーション１５から取得するまでに要する時間が小さくないことに着目した。そして、複数の固定画要素を一括的にＯＰステーション１２で取得することが、プラント監視画面を構成する表示要素（固定画要素及び可変画要素）を取得し、表示するまでの処理に要する時間の短縮に寄与することを見出し、本発明に想到した。
【００２５】
すなわち、本発明の骨子は、プラント監視画面を表示する画面表示装置において、プラント監視画面を構成する固定画要素を含む画像ファイルを取得する一方、プラント監視画面を構成する可変画要素を取得し、これらの画像ファイルと可変画要素とを重ねて表示することである。
【００２６】
本発明によれば、プラント監視画面を構成する固定画要素を含む画像ファイルが取得されると共に、プラント監視画面を構成する可変画要素が取得され、これらの画像ファイルと可変画要素とが重ねて表示される。これにより、プラント監視画面を構成する固定画要素及び可変画要素を個別に取得して表示する場合と比べて、固定画要素の取得処理に要する時間を短縮することができる。この結果、プラント監視画面を表示するまでの処理時間を短縮することができる。
【００２７】
以下、本実施の形態に係る画面表示システム１０が有するＯＰステーション１２及びＥＮＧステーション１５の構成について、図２及び図３を参照して説明する。図２は、本実施の形態に係る画面表示システム１０が有するＯＰステーション１２の機能ブロック図である。図３は、本実施の形態に係る画面表示システム１０が有するＥＮＧステーション１５の機能ブロック図である。図２及び図３においては、本発明に関係する構成要素のみを示している。
【００２８】
図２に示すように、ＯＰステーション１２は、ＯＰステーション１２全体の制御を行う制御部１２１を備える。制御部１２１には、記憶部１２２、通信部１２３、画像ファイル取得部１２４及び可変画要素取得部１２５が接続されている。また、ＯＰステーション１２は、入力部１２６及び表示部１２７を備える。
【００２９】
制御部１２１は、例えば、ＣＰＵなどの演算手段で構成され、記憶部１２２に記憶された制御プログラムを実行することにより、ＯＰステーション１２の各構成要素を制御する。記憶部１２２は、ＲＯＭ（Read  Only  Memory）及びＲＡＭ（Random  Access  Memory）などの記憶手段で構成され、制御部１２１が読み込んで実行する制御プログラムを記憶すると共に、制御部１２１のワークメモリとして機能する。
【００３０】
通信部１２３は、情報ネットワーク１８を介してＥＮＧステーション１５と通信を行う。例えば、通信部１２３は、ＥＮＧステーション１５から、プラント監視画面の表示要素を受信する。また、通信部１２３は、制御ネットワーク１７を介して制御装置１１と通信を行う。例えば、通信部１２３は、制御装置１１から、プラント機器１６が収集した監視データを受信する。
【００３１】
画像ファイル取得部１２４は、通信部１２３を介してＥＮＧステーション１５から、プラント監視画面を構成する固定画要素が含まれる画像ファイルを取得する。可変画要素取得部１２５は、通信部１２３を介してＥＮＧステーション１５から、プラント監視画面を構成する可変画要素を取得する。
【００３２】
入力部１２６は、ＯＰステーション１２の操作者からの指示を受け付ける。例えば、入力部１２６は、操作者からプラント監視画面の表示指示を受け付ける。表示部１２７は、操作者からの指示を受け付ける操作画面やプラント監視画面を表示する。例えば、表示部１２７は、画像ファイル取得部１２４で取得された画像ファイルに、可変画要素取得部１２５で取得された可変画要素を重ねて表示する。
【００３３】
図３に示すように、ＥＮＧステーション１５は、ＥＮＧステーション１５全体の制御を行う制御部１５１を備える。制御部１５１には、記憶部１５２、通信部１５３、表示要素分類部１５４及び画像ファイル生成部１５５が接続されている。また、ＥＮＧステーション１５は、入力部１５６及び表示部１５７を備える。
【００３４】
制御部１５１は、例えば、ＣＰＵなどの演算手段で構成され、記憶部１５２に記憶された制御プログラムを実行することにより、ＥＮＧステーション１５の各構成要素を制御する。記憶部１５２は、ＲＯＭ及びＲＡＭなどの記憶手段で構成され、制御部１５１が読み込んで実行する制御プログラムを記憶すると共に、制御部１５１のワークメモリとして機能する。
【００３５】
通信部１５３は、情報ネットワーク１８を介してＯＰステーション１２と通信を行う。例えば、通信部１５３は、ＯＰステーション１２から、プラント監視画面の表示要求を受信する。また、通信部１５３は、ＯＰステーション１２に対して、プラント監視画面の表示要素を送信する。例えば、通信部１５３は、ＯＰステーション１２に対して、プラント監視画面を構成する固定画要素を含む画像ファイルや可変画要素を送信する。
【００３６】
表示要素分類部１５４は、プラント監視画面を構成する表示要素を分類する。より具体的には、入力部１５６を介して操作者から入力されたプラント監視画面の表示要素を、固定画要素と可変画要素とに分類する。また、表示要素分類部１５４は、分類した固定画要素を画像ファイル生成部１５５に出力する一方、分類した可変画要素を記憶部１５２に出力する。
【００３７】
画像ファイル生成部１５５は、表示要素分類部１５４により分類された固定画要素を含む画像ファイルを生成する。例えば、画像ファイル生成部１５５は、表示要素分類部１５４により分類された固定画要素をビットマップファイルに変換して画像ファイルを生成するが、これに限定されない。プラント監視画面を構成する固定画要素を含む画像ファイルを生成することを条件として、任意のファイル形成方式を適用することができる。
【００３８】
画像ファイル生成部１５５により生成される画像ファイルには、プラント監視画面に含まれる全ての固定画要素を含むことが好ましい。しかしながら、プラント監視画面に含まれる全ての固定画要素を複数（例えば、２つ）に分割した画像ファイルとしてもよい。
【００３９】
入力部１５６は、ＥＮＧステーション１５の操作者からの指示を受け付ける。例えば、入力部１５６は、操作者からプラント監視画面の表示要素に対するユーザ定義を受け付ける。表示要素に対するユーザ定義には、各表示要素の座標情報や、各表示要素の属性情報（例えば、固定画要素か可変画要素か）などの情報が含まれる。表示部１５７は、操作者からこれらのユーザ定義を受け付ける操作画面などを表示する。
【００４０】
ここで、本実施の形態に係る画面表示システム１０において、プラント監視画面を表示するまでの処理について、図２〜図５を参照しながら説明する。図４は、本実施の形態に係る画面表示システム１０において、プラント監視画面を表示するための処理を説明するためのシーケンス図である。図５は、本実施の形態に係る画面表示システム１０において、プラント監視画面を表示するまでの処理を説明するための概念図である。
【００４１】
図４に示すように、プラント監視画面を表示するためには、まず、ＥＮＧステーション１５にて、操作者からプラント監視画面を表示するためのユーザ定義を受け付ける（ステップＳＴ４０１）。上述したように、ユーザ定義には、各表示要素の座標情報や各表示要素の属性情報などが含まれる。プラント監視画面を表示するためのユーザ定義を全て受け付けると、表示部１５７には、図５に示すプラント監視画面デザイン５０１が表示される。
【００４２】
プラント監視画面デザイン５０１が表示された状態において、入力部１５６から実行ファイルの生成が指示されると、制御部１５１により実行ファイル５０２が生成される。実行ファイルの生成過程では、表示要素分類部１５４によりプラント監視画面の表示要素が固定画要素と可変画要素とに分類される（ステップＳＴ４０２）。分類された可変画要素５０３は、記憶部１５２に出力される。これらの可変画要素５０３は、個別に記憶部１５２に記憶される。一方、分類された固定画要素は、画像ファイル生成部１５５に出力される。
【００４３】
全ての固定画要素を受け取ると、画像ファイル生成部１５５により、これらの固定画要素を含む画像ファイル５０４が生成される（ステップＳＴ４０３）。この画像ファイル５０４では、全ての固定画要素が合成され、単一の固定画要素として取り扱われる。画像ファイル生成部１５５により生成された画像ファイル５０４は、記憶部１５２に出力され、単一の固定画要素として記憶される。固定画要素を含む画像ファイル５０４を記憶することで、プラント監視画面を表示するための実行ファイル５０２が記憶部１５２に記憶された状態となる。
【００４４】
一方、ＯＰステーション１２では、制御部１２１が、入力部１２６を介してプラント監視画面の表示要求を受け付けるか監視している（ステップＳＴ４０４）。表示要求を受け付けない場合には（ステップＳＴ４０４：Ｎｏ）、この監視処理が継続される。一方、表示要求を受け付けた場合には（ステップＳＴ４０４：Ｙｅｓ）、制御部１２１は、画像ファイル取得部１２４及び可変画要素取得部１２５に対して、それぞれ画像ファイル及び可変画要素の取得を指示する。
【００４５】
この指示を受けると、画像ファイル取得部１２４及び可変画要素取得部１２５は、ＥＮＧステーション１５に対して、それぞれ画像ファイル及び可変画要素の取得要求を出力する（ステップＳＴ４０５）。これらの取得要求は、通信部１２３を介してＥＮＧステーション１５に送信される。
【００４６】
この取得要求を受け付けると、ＥＮＧステーション１５の制御部１５１は、記憶部１５２に記憶された表示要素をＯＰステーション１２に出力する（ステップＳＴ４０６）。具体的にいうと、制御部１５１は、記憶部１５２に記憶された各可変画要素５０３と画像ファイル５０４とを通信部１５３を介してＯＰステーション１２に出力する。
【００４７】
ＯＰステーション１２は、このように出力された表示要素を取得する（ステップＳＴ４０７）。具体的にいうと、ＯＰステーション１２では、可変画要素取得部１２５にて可変画要素５０３を取得し、画像ファイル取得部１２４にて画像ファイル５０４を取得する。
【００４８】
全ての表示要素（可変画要素５０３及び画像ファイル５０４）を取得すると、制御部１２１は、表示部１２７に画像ファイル５０４を表示する（ステップＳＴ４０８）。さらに、制御部１２１は、表示部１２７に可変画要素５０３を表示する（ステップＳＴ４０９）。この場合、制御部１２１は、表示部１２７における画像ファイル５０４上に、可変画要素５０３を重ねて表示する。これにより、表示部１２７上にプラント監視画面５０５が表示される。
【００４９】
制御装置１１では、プラントの運転状況に応じた各プラント機器１６の監視データを収集している。これらの監視データを収集すると、制御装置１１は、監視データを制御ネットワーク１７を介してＯＰステーション１２に出力する（ステップＳＴ４１０）。ＯＰステーション１２では、監視データを受信すると、この監視データに基づいて、プラント監視画面５０５に含まれる可変画要素５０３の表示を更新する（ステップＳＴ４１１）。これにより、表示部１２７に表示されたプラント監視画面５０５がプラントの運転状況に応じて最新の状態に更新される。
【００５０】
以上説明したように、本実施の形態に係る画面表示システム１０によれば、画面表示装置として機能するＯＰステーション１２において、画像ファイル取得部１２４でプラント監視画面を構成する固定画要素を含む画像ファイル５０４が取得されると共に、可変画要素取得部１２５でプラント監視画面を構成する可変画要素５０３が取得される。そして、これらの画像ファイル５０４と可変画要素５０３とが重ねて表示部１２７に表示される。これにより、プラント監視画面５０５を構成する固定画要素及び可変画要素を個別に取得して表示する場合と比べて、固定画要素の取得処理に要する時間を短縮することができる。この結果、プラント監視画面を表示するまでの処理時間を短縮することができる。
【００５１】
また、本実施の形態に係る画面表示システム１０においては、画面生成装置として機能するＥＮＧステーション１５において、表示要素分類部１５４でプラント監視画面を構成する固定画要素と可変画要素５０３とが分類され、画像ファイル生成部１５５で分類された固定画要素を合成した画像ファイル５０４が生成される。これにより、プラント監視画面５０５を構成する固定画要素から効率的に画像ファイル５０４を生成することができる。
【００５２】
例えば、ＥＮＧステーション１５においては、画像ファイル生成部１５５でプラント監視画面５０５を構成する固定画要素をビットマップファイルに変換した画像ファイル５０４が生成される。これにより、固定画要素がビットマップファイル形式で表現されるため、例えば、固定画要素を構成する画素の色情報をデータとして持つのではなく、色番号を画素毎にデータとして持つことができるので、画像ファイルのデータ容量を圧縮することができる。
【００５３】
なお、本発明は上記実施の形態に限定されず、様々に変更して実施可能である。上記実施の形態において、添付図面に図示されている構成要素の処理などについては、これに限定されず、本発明の効果を発揮する範囲内で適宜変更が可能である。その他、本発明の目的の範囲を逸脱しない限りにおいて適宜変更して実施可能である。
【００５４】
例えば、上記実施の形態に係る画面表示システム１０おいては、ＯＰステーション１２及びＥＮＧステーション１５を備え、ＥＮＧステーション１５にて、プラント監視画面を構成する固定画要素と可変画要素とを分類し、分類した固定画要素を含む画像ファイルを生成する場合について説明している。しかしながら、本実施の形態に係る画面表示システム１０の構成については、これに限定されるものではなく適宜変更が可能である。例えば、ＯＰステーション１２がＥＮＧステーション１５の機能を併せ持つようにしてもよい。すなわち、ＯＰステーション１２にて、プラント監視画面を構成する固定画要素と可変画要素とを分類し、分類した固定画要素を含む画像ファイルを生成するようにしてもよい。この場合にも、プラント監視画面を構成する固定画要素を含む画像ファイルが生成されるので、上記実施の形態と同様に、プラント監視画面を構成する固定画要素及び可変画要素を個別に取得して表示する場合と比べて、固定画要素の取得処理に要する時間を短縮することができる。この結果、プラント監視画面を表示するまでの処理時間を短縮することができる。
【産業上の利用可能性】
【００５５】
本発明の画面表示装置及び画面表示システムによれば、プラント監視画面を表示するまでに要する処理時間を短縮することができるという効果を奏し、特に、プラントにおけるプロセス制御を実現するための分散型制御システムに設置される画面表示装置や画面表示システムに好適に用いることができる。
【符号の説明】
【００５６】
１０  画面表示システム
１１、１１ａ、１１ｂ  制御装置
１２  オペレータステーション（ＯＰステーション）
１２１  制御部
１２２  記憶部
１２３  通信部
１２４  画像ファイル取得部
１２５  可変画要素取得部
１２６  入力部
１２７  表示部
１３  データベースステーション（ＤＢステーション）
１４  プリンタ
１５  エンジニアリングステーション（ＥＮＧステーション）
１５１  制御部
１５２  記憶部
１５３  通信部
１５４  表示要素分類部
１５５  画像ファイル生成部
１５６  入力部
１５７  表示部
１６  プラント機器
１７  制御ネットワーク
１８  情報ネットワーク
【図１】
2018022350.tif 000003
【図２】
2018022350.tif 000004
【図３】
2018022350.tif 000005
【図４】
2018022350.tif 000006
【図５】
2018022350.tif 000007